(57)【要約】【課題】昼間等の明るい場所においては高い視認性と識別性、夜間や屋内等の暗い場所においては高い視認性を有すること。【解決手段】扁平に潰した状態の屈曲する部分に位置する耳部１４と、扁平に潰した状態で扁平である部分に位置する腹部１３とを有するホース本体１０と、前記腹部の外面に、ホース本体１０の長さ方向に沿って設けられた反射材２０と、腹部１３の外面に、ホース本体１０の長さ方向に沿って設けられた蛍光色材３０とを備えている。【選択図】図２
2014163427.tif 000002
【特許請求の範囲】
【請求項１】
扁平に潰した状態の屈曲する部分に位置する耳部と、扁平に潰した状態で扁平である部分に位置する腹部とを有するホース本体と、
前記腹部の外面に、前記ホース本体の長さ方向に沿って設けられた反射材又は蓄光材と、
前記腹部の外面に、前記ホース本体の長さ方向に沿って設けられた蛍光色材とを備えていることを特徴とする消防用ホース。
【請求項２】
扁平に潰した状態の屈曲する部分に位置する耳部と、扁平に潰した状態で扁平である部分に位置する腹部とを有するホース本体と、
前記腹部の外面に、前記ホース本体の長さ方向に沿って間欠的に設けられた反射材又は蓄光材と、
前記腹部の外面に、前記ホース本体の長さ方向に沿って間欠的に設けられた蛍光色材とを備えていることを特徴とする消防用ホース。
【請求項３】
扁平に潰した状態の屈曲する部分に位置する耳部と、扁平に潰した状態で扁平である部分に位置する腹部とを有するホース本体と、
前記腹部の外面に、前記ホース本体の長さ方向に沿って設けられた反射材又は蓄光材と、
この反射材又は蓄光材の表面に、前記ホース本体の長さ方向に沿って設けられた蛍光色材とを備えていることを特徴とする消防用ホース。
【請求項４】
扁平に潰した状態の屈曲する部分に位置する耳部と、扁平に潰した状態で扁平である部分に位置する腹部とを有するホース本体と、
前記腹部の外面に、前記ホース本体の長さ方向に沿って設けられた蛍光色材と、
この蛍光色材の表面に、前記ホース本体の長さ方向に沿って設けられた反射材又は蓄光材とを備えていることを特徴とする消防用ホース。
【発明の詳細な説明】
【技術分野】
【０００１】
本発明は、昼間等の明るい場所においては高い視認性と識別性、夜間や屋内等の暗い場所においては高い視認性を有する消防用ホースに関する。
【背景技術】
【０００２】
一般に、ビル等の建物内の消火活動に用いられる消防用ホースは、扁平に潰して巻きとられた状態や折り畳まれた状態で搬送され、使用時には展張される。しかし、火災を起こした建物は停電になっている場合や、火災の煙などで視界が悪い状態の中帰還しなければならない場合がある。この対策として、消防士はライトを携帯し、消火活動にあたる。しかし、大抵の建物は初めて入る場合が多く、さらに視界が悪い状態であるため、道に迷い出口まで辿り着けず重大事故につながる場合がある。
【０００３】
このため、消防用ホースを帰還時の道案内として使用する方法がある。消防用ホースは必ず外のポンプ車等につながっている為、消防用ホースを辿れば出口に到達できる。しかし、停電時や火災の煙等で視界が悪い場合は消防用ホースを発見することも困難である。これらの対策として、消防用ホース上に反射材を接着し、暗い場所においても、ライトを照らすことで、消防用ホースを発見しやすくする方法が知られている（例えば、特許文献１及び２参照。）。
【０００４】
一方、消火活動の際は、多くの消防署等の拠点から多くの消防用ホースが火災現場に集められるため、使用後に消防用ホースを回収する際、他の拠点の消防用ホースと混同する虞がある。このために、消防用ホース表面の色を拠点毎に異なる色にしたり、拠点を示す表示を付す方法が知られている（例えば、特許文献３参照。）。これらの方法は、所属先の表示をする以外に、昼間のホースの視認性も高めるため、ホース表面を赤色等の目立つ色にすることもある。
【先行技術文献】
【特許文献】
【０００５】
【特許文献１】実用新案登録第３０８０５０７号公報
【特許文献２】特開２００１−１９３８７４号公報
【特許文献３】特開２００９−１５０５２２号公報
【発明の概要】
【発明が解決しようとする課題】
【０００６】
上述した消防用ホースでは、次のような問題があった。すなわち、明るい場所において目立つ色であって、かつ、消防用ホースのホース本体の色として選択できる色は限られている。このため、拠点が多い場合には、ホース本体に付された識別文字・記号等に頼らざるを得ず、回収に手間取ることがあった。なお、反射材は一般的に、明るい場所では目立たないという特質を有する。
【０００７】
そこで本発明は、昼間等の明るい場所においては高い視認性と識別性、夜間や屋内等の暗い場所においては高い視認性を有する消防用ホースを提供することを目的としている。
【課題を解決するための手段】
【０００８】
前記課題を解決し目的を達成するために、本発明の消防用ホースは次のように構成されている。
【０００９】
扁平に潰した状態の屈曲する部分に位置する耳部と、扁平に潰した状態で扁平である部分に位置する腹部とを有するホース本体と、前記腹部の外面に、前記ホース本体の長さ方向に沿って設けられた反射材と、前記腹部の外面に、前記ホース本体の長さ方向に沿って設けられた蛍光色材とを備えていることを特徴とする。
【００１０】
扁平に潰した状態の屈曲する部分に位置する耳部と、扁平に潰した状態で扁平である部分に位置する腹部とを有するホース本体と、前記腹部の外面に、前記ホース本体の長さ方向に沿って間欠的に設けられた反射材と、前記腹部の外面に、前記ホース本体の長さ方向に沿って間欠的に設けられた蛍光色材とを備えていることを特徴とする。
【００１１】
扁平に潰した状態の屈曲する部分に位置する耳部と、扁平に潰した状態で扁平である部分に位置する腹部とを有するホース本体と、前記腹部の外面に、前記ホース本体の長さ方向に沿って設けられた反射材と、この反射材の表面に、前記ホース本体の長さ方向に沿って設けられた蛍光色材とを備えていることを特徴とする。
【００１２】
扁平に潰した状態の屈曲する部分に位置する耳部と、扁平に潰した状態で扁平である部分に位置する腹部とを有するホース本体と、前記腹部の外面に、前記ホース本体の長さ方向に沿って設けられた蛍光色材と、この蛍光色材の表面に、前記ホース本体の長さ方向に沿って設けられた反射材とを備えていることを特徴とする。
【発明の効果】
【００１３】
本発明によれば、昼間等の明るい場所においては高い視認性と識別性、夜間や屋内等の暗い場所においては高い視認性を有することが可能となる。
【図面の簡単な説明】
【００１４】
【図１】本発明の第１の実施の形態に係る消防用ホースを示す側面図。
【図２】同消防用ホースの要部を一部破断して示す斜視図。
【図３】同消防用ホースの扁平に潰された状態を示す平面図。
【図４】本発明の第２の実施の形態に係る扁平に潰された消防用ホースを示す平面図。
【図５】本発明の第３の実施の形態に係る扁平に潰された消防用ホースを示す平面図。
【図６】本発明の第４の実施の形態に係る扁平に潰された消防用ホースを示す平面図。
【発明を実施するための形態】
【００１５】
図１は本発明の第１の実施の形態に係る消防用ホース１を示す側面図、図３は消防用ホース１の要部を一部破断して示す斜視図、図３は消防用ホース１の扁平に潰された状態を示す平面図である。
【００１６】
消防用ホース１は、筒状のホース本体１０と、ホース本体１０の基端側の開口部と液密に連通して設けられる流入部５０と、ホース本体１０の先端側の開口部と液密に連通して設けられる流出部６０とを備えている。流入部５０は消火剤供給部Ｓと液密に着脱可能であり、流出部６０は放水用ノズルＴと液密に着脱可能である。消火剤供給部Ｓは、消火剤を供給する消火栓Ｓ１と、流入部５０に消火剤を案内する案内ホースＳ２とを有する。なお、消火剤は水等の消火に使用される物質であり、水の他に粉体等も含まれる。
【００１７】
ホース本体１０は、図２に示すように、扁平に潰された状態で扁平面となる腹部１３と、扁平に潰す際に屈曲する耳部１４とを備えている。なお、ホース本体１０の色は、例えば淡色系のホース本体１０の材質の色である。
【００１８】
腹部１３の外周部には、ホース本体１０の長さ方向に沿って反射材２０と蛍光色材３０とが所定間隔だけ離間し、長手方向に沿って並行に設けられている。反射材２０及び蛍光色材３０は、ホース本体１０の外周面に熱せられつつ圧着され、ホース本体１０と一体に形成されている。
【００１９】
反射材２０は、その表面に入射する光を反射する性質を有しているため、暗い場所における視認性を消防用ホース１に付加する効果がある。蛍光色材３０は、昼間等の明るい場所における視認性を高めることができると共に、色のバリエーションが多く、消防署等の拠点の数に対応させて設けることができる。
【００２０】
上述のように形成された消防用ホース１は、腹部１３に反射材２０が設けられ、夜間や屋内等の暗い場所においては消防士等がライトを照らすことによって高い視認性を有することが可能となり、また、蛍光色材３０を付していることから、昼間等の明るい場所においては高い視認性を確保することができると共に、色のバリエーションにより高い識別性を有し、消火活動後の消防用ホース１の回収を効率的に行うことができる。
【００２１】
上述したように、本実施の形態に係る消防用ホース１によれば、昼間等の明るい場所においては高い視認性と識別性、夜間や屋内等の暗い場所においては高い視認性を有することが可能となる。
【００２２】
なお、上述した例では、反射材２０を用いたが、反射材２０の代わりに蓄光材を用いても、同様の効果を得ることができる。
【００２３】
図４は、本発明の第２の実施の形態に係る扁平に潰された消防用ホース１Ａを示す平面図である。図４において、図１〜図３と同一機能部分には同一符号を付し、その詳細な説明は省略する。
【００２４】
本実施の形態に係る消防用ホース１Ａでは、腹部１３の外周部には、ホース本体１０の長さ方向に沿って反射材２０と蛍光色材３０とが隣接し、長手方向に沿って並行に設けられている。
【００２５】
このように構成された消防用ホース１Ａにおいても、上述した消防用ホース１と同様の効果を得ることができる。
【００２６】
図５は、本発明の第３の実施の形態に係る扁平に潰された消防用ホース１Ｂを示す平面図である。図５において、図１〜図３と同一機能部分には同一符号を付し、その詳細な説明は省略する。
【００２７】
本実施の形態に係る消防用ホース１Ｂでは、腹部１３の外周部には、ホース本体１０の長さ方向に沿って反射材で形成された反射矢印マーク２１と、蛍光色材で形成された蛍光矢印マーク３１とが間欠的に、長手方向に沿って並行に設けられている。
【００２８】
このように構成された消防用ホース１Ｂにおいても、上述した消防用ホース１と同様の効果を得ることができる。
【００２９】
図６は、本発明の第４の実施の形態に係る扁平に潰された消防用ホース１Ｃを示す平面図である。図６において、図１〜図３と同一機能部分には同一符号を付し、その詳細な説明は省略する。
【００３０】
本実施の形態に係る消防用ホース１Ｃでは、腹部１３の外周部には、ホース本体１０の長さ方向に沿って蛍光色材３０が形成され、この蛍光色材３０の上面に蛍光色材３０より狭い幅で形成された反射材２０が長手方向に沿って設けられている。
【００３１】
このように構成された消防用ホース１Ｃにおいても、上述した消防用ホース１と同様の効果を得ることができる。なお、反射材２０と蛍光色材３０との積層関係を逆にして設置しても同様の効果を得ることができる。
【００３２】
なお、本発明は前記実施の形態に限定されるものではない。暗い場所での視認性を向上させるために反射材を用いたが、反射材の代わりに蓄光材を用いてもよい。この他、本発明の要旨を逸脱しない範囲で種々変形実施可能であるのは勿論である。
【符号の説明】
【００３３】
１，１Ａ，１Ｂ，１Ｃ…消防用ホース、１０…ホース本体、１３…腹部、１４…耳部、１５…境界線、２０…反射材、２１…反射矢印マーク、３０…蛍光色材、３１…蛍光矢印マーク。
【図１】
2014163427.tif 000003
【図２】
2014163427.tif 000004
【図３】
2014163427.tif 000005
【図４】
2014163427.tif 000006
【図５】
2014163427.tif 000007
【図６】
2014163427.tif 000008